(57)【要約】      （修正有）【課題】本考案は鉄道線路の軌道通り狂いを計測するための計測装置である。通常は、計測軌道の両端に糸を張って軌道の狂いを量るが誤差が大きいために、誤差を生じない光線による軌道通り狂い計測装置を提供する。【解決手段】本考案は軌道上にに設置する架台１（１）上にレーザー光投光部レーザー距離計２を設け、架台３（３）にレーザー光検出の望遠ビデオカメラ４を取り付けた光検知部５により光線を検知し無線発信機６を動作させる。架台２（７）を軌道中点上に置き、無線受信機９の受信出力は計測制御部１１によりモーター１０を駆動し，光遮断片８を光線方向に摺動させる。遮断片が光線を遮断したとき無線発信機６からの信号は止まり、モーター１０は停止する、その時の遮断片８の移動寸法をモーター回転数から演算し、演算表示部１２により移動寸法を演算しデジタル表示させ軌道狂いとする。【選択図】図１
0003100640.tif 000002
【実用新案登録請求の範囲】
【請求項１】
架台１（１）にレーザー光投光部レーザー距離計（２）を設置し、軌道上計測位置に置き、架台３（３）に望遠ビデオカメラ（４）、光線検知部（５）、検知を通報するための無線発信機（６）設置し、所定の軌道上に置く。架台１（１）と架台（３）の軌道中間点に、架台２（７）に光線遮断片（８）をモーター（１０）により減速装置（１２）、送り装置（１３）を介して軌道に直角に移動できる光遮断片（８）、移動した寸法を読み取る演算表示部（１４）を設置し、モーター（１０）の正転，逆転等を制御する計測制御装置（１１）を設置する、架台１（１）、架台２（７）、架台３（３）よりなる、光線による軌道通り狂い計測装置。
【請求項２】
計測開始時、光線遮断片（８）がモーター（１０），減速装置（１２）及び送り装置（１３）により光線方向に移動しレーザー光投光部レーザー距離計（２）よりの光線が遮断されたとき、光検知部（５）の出力を停止させ，その信号を無線受信機（９）に送り、モーター（１０）の回転を停止させ、モーター（１０）の起動から停止までの回転数を演算し、演算表示部（１４）にミリメートルに変換した数値を軌道狂いとして表示した，光線による軌道通り狂い計測装置。
【考案の詳細な説明】
【０００１】
【考案の属する技術分野】
本考案は、軌道の通り狂いを弦正矢法に準じた方法で計測する装置であって、計測せんとする軌道間にレーザー光投光部としてレーザー距離計を置き、受光部に望遠ビディオカメラを置き、この光路を弦とする。望遠ビデオカメラはレーザー光を検出し，検出電圧をもって無線発信機を動作させる。軌道中点には、軌道上に計測制御部があり、先端に光路を遮断できる遮断片を取り付けた軸が設けられ，この軸はモーター駆動により送り装置に光路に直角に前後する。このモーターは測定時受光部の無線信号により起動する。無線信号を受信しモーターが起動すると軸の遮断片が光路方向に伸び、光路を遮断させる。光が遮断されると、受光部の光検出が無くなり無線発信機は動作を停止する。制御部の受信機の出力は無くなりモーターは停止する。停止時までの軸の移動した長さが軌道狂いである、その寸法はモーターの回転数に比例する為、モーターの起動から停止までの回転数を、演算回路を通してミリメートルに置き換えて読み取らせ、軌道狂いの量を表示させる、光線による軌動通り狂い計測装置に関するものである。
【０００２】
【従来の技術】
従来は軌道狂いの検測手法として正矢法が知られている。これは手作業による計測で、一般に用いられる糸張法である。ある長さ、通常１０メートルの糸の両端を軌道上にに固定し、軌道中点と糸の中点での離れを軌道狂い量として計測がなされている。
【０００３】
【考案が解決しようとする課題】
手作業による軌道狂いの検測に当たり、次ぎのような問題点があった。標準的には誤差を極力押さえる方法として、１０メートル距離での狂いの計測である正矢法であった。検測距離を長くするとき、糸の弛みによる誤差は大きくなる。その上、糸を直線に保つことが困難である。また軌道中点と、糸の中点との離れの測定は寸法ゲージでの計測において視差および個人差による誤差を生じる。本考案はこれらの問題点を解決し軌道通り狂いを最小限の計測誤差に押さえるようになされたものである。
【０００４】
【課題を解決するための手段】
軌道上に設置する架台１（１）上にレーザー光投光部レーザー距離計（２）を設ける。軌道上に設置する架台３（３）上にレーザー光検知の望遠ビデオカメラ（４）を設置し、検知部（５）、検知したレーザー光を検知信号出力で動作する無線発信機（６）を設置する。軌道上に設置する架台２（７）上に、光線遮断片（８）、（８）を移動する送り装置（１３）、無線発信機（６）の信号受信機（９）と受信信号で駆動するモーター（１０）、モーター回転を伝導する減速装置（１２）、モーター回転数を計数し遮断片移動距離を演算し  デジタル表示させる演算表示部（１４）を設置する。
本考案は、以上の構成よりなる、光線による軌道通り狂い測定装置である。
【０００５】
【考案の実施の形態】
以下，本考案の実施の形態を説明する。
（イ）軌道上の架台１．（１）上にレーザー投光部レーザー距離計（２）を設置し、レーザー光を投光する。架台の底部は軌道上面に密着する高さに設定する。また架台の脚は高さを調節できる。
（ロ）軌道上の架台３（３）上に、（２）からのレーザー光を検出する望遠ビデオカメラ（４）を設置し、レーザー光を検出する。架台の底部は軌道上面に密着する高さに設定する。検出されたレーザー光は光り検知部（５）により直流増幅され、その出力電圧で無線発信機（６）を制御する。光検出したとき、無線発信機（６）を送信状態にさせる。
（ハ）軌道上の架台２（７）上に，光線遮断片（８）を持つ遮断片送り装置（１３）を設置する、これを駆動するモーター（１０），は無線受信機（９）の出力で起動し出力の無いときは停止する。光線が検知され無線受信機（９）が動作すると，モーターは起動し、その回転は減速装置（１２）を介して送り装置（１３）に伝導され、遮断片（８）を光線に対し直角方向に送り出す。遮断片（８）が光線ヲ遮断したとき、光検知部（５）は無線発信機を停止させる。無線受信機（９）の動作は停止し、モーター回転も停止する。モーター起動から停止までの送り装置（１３）の移動寸法が狂い数を計数し遮断片（８）の移動寸法を演算しデジタル表示をさせる演算表示部（１４）を設置する。架台の底部は軌道上面に密着する高さに設定する。架台３（７）の設置位置はレーザー光投光部レーザー距離計（２）とレーザー光検出ビデオカメラ（４）の間の中点に，光線遮断片がくる位置に設置する。
（ニ）モーター（１０）の回転数は演算表示部（１４）で計数し、減速装置（１２）の減速比に応じ送り装置（１３）の歩みを送り寸法を０，０１ミリメートル単位でデジタル表示をさせる。    本考案は以上の構成による。
本考案を使用するときは，所定の計測距離の位置に架台１（１）、架台３（３）及びその軌道中点に架台２（７）を設置する。架台（１）上のレーザー光投光部レーザー距離計（２）と望遠ビデオカメラの光軸を合わせ，架台（７）の光遮断片（８）の先端を軌道の中心に設置する。所定の軌道間の距離は、レーザー光投光部レーザー距離計で距離の確認を可能にしている。
【０００６】
【考案の効果】本考案は以上の構成からなるので、本考案をを使用するとき、従来の糸に代わり光線を使用するため、糸の弛みが皆無であり、軌道間距離を数十メートルまで自由に設置することが可能になった。狂いの計測は目視計測によることが無く，確実な計測がなされ，計測値はデジタル表示のため個人誤差が無く，１／１０ミリメートル以下の読み取りを可能にした。
【図面の簡単な説明】
【図１】本考案の斜視図
【図２】架台１、レーザー光投光レーザー距離計設置正面図
【図３】架台１、レーザー光投光レーザー距離計設置上面図
【図４】架台３、望遠ビデオカメラ、光検知部，無線発信機設置正面図
【図５】架台３、望遠ビデオカメラ、光検知部，無線発信機設置上面図
【図６】架台２、光遮断片、無線受信機，モータ、減速装置、送り装置計測制御部、演算表示部設置正面図
【図７】架台２、光遮断片、無線受信機、モーター、減速装置、送り装置計測制御部、演算表示部設置上面図
【図８】架台正面図
【符号の説明】
（１）架台１，（２）レーザー投光レーザー距離計、（３）架台３、
（４）望遠ビデオカメラ、（５）光検知部、（６）無線発信機、（７）架台２（８）光遮断片、（９）無線受信機、（１０）モーター、（１１）制御計測部（１２）減速装置、（１３）送り装置、（１４）演算表示部
【図１】
0003100640.tif 000003
【図２】
0003100640.tif 000004
【図３】
0003100640.tif 000005
【図４】
0003100640.tif 000006
【図５】
0003100640.tif 000007
【図６】
0003100640.tif 000008
【図７】
0003100640.tif 000009
【図８】
0003100640.tif 000010
【手続補正書】
【提出日】平成15年10月1日(2003.10.1)
【手続補正１】
【補正対象書類名】明細書
【補正対象項目名】実用新案登録請求の範囲
【補正方法】変更
【補正の内容】
【実用新案登録請求の範囲】
【請求項１】
計測軌道上の一端に設置可能な架台１（１）上に、レーザー光投光部レーザー光距離計（２）を設置し、計測軌道上の他の一端に軌道上に設置可能な架台３（３）上に望遠ビデオカメラ（４）と、光検知部（５）及び検知を通報する無線発信機（６）を置き、軌道の中間位置に軌道上に設置可能な架台２（７）上に光遮断片（８）をモーター（１０）により、減速装置（１２）及び送り装置（１３）を介して光線に対し直角に移動し、移動した寸法を読み取る演算表示部（１４）を設置し、無線発信機（６）の通報を受信する無線受信機（９）を設置し、無線受信機（９）の出力により、モーター（１０）の正転及び逆転を制御する計測制御部（１１）を設置する、架台１（１）と架台２（７）及び架台３（３）よりなる、光線による軌道通り狂い計測装置。